(57)【特許請求の範囲】
【請求項１】
電源装置から複数の通信装置へ電力を供給するための電流分配装置であって、
前記電流分配装置は複数の導体バーと、ヒューズ端子台とを有し、
ヒューズの交換時に前記ヒューズ端子台と前記電源装置との間に電位を生じさせない導体バー切断機構を有し、
該導体バー切断機構が、前記電源装置に接続された第１の導体バーと、前記ヒューズ端子台に接続された第２の導体バーを有し、
それぞれの導体バーは固定盤によって固定され、
更に、絶縁された万力棒に取付けられた第３の導体バーを有し、前記万力棒を回転させることにより、前記第１及び第２の導体バーに前記第３の導体バーを締め付けることにより電気的に接続し、
一方、前記万力棒を逆方向に回転させることにより、前記第１及び第２の導体バーから前記第３の導体バーを浮き上がらせることにより電気的に切断されることを特徴とする電流分配装置。
【請求項２】
前記ヒューズ端子台と前記通信装置の負極端子との間にシャント抵抗が接続され、
警報用地気装置を備えることを特徴とする請求項1記載の電気分流装置。
【発明の詳細な説明】
【技術分野】
【０００１】
本発明は、電源装置の出力電流を通信装置ヘ分配する電流分配装置に属し、特にヒューズを着脱する際に、活線作業を行うことなく安全に作業するために、ヒューズ端子台と電源装置間を離す機構に関するものである。
【背景技術】
【０００２】
図５は、電源装置ＥＵから電流分配装置ＩＢＳを介して通信装置Ｕに給電する従来の電流分配装置ＩＢＳの回路構成を示す。電流分配装置ＩＢＳの内部は、電源装置ＥＵの負極から直流給電ケーブルにより端子Ａに接続される。端子Ａと端子Ｄは導体バーＢＡＲ１で接続され、端子Ｄはヒューズ端子台ＦＵの―端である。ヒューズ端子台ＦＵの他端は端子Ｅに接続され、端子Ｅと端子Ｆは導体バーＢＡＲ４で接続される。端子Ｆは通信装置Ｕの負極端子ＵＢに直流給電ケーブルで接続される。―方、電源装置ＥＵの正極は直流給電ケーブルにより端子Ｈに接続される。端子Ｈと端子Ｇは導体バーＢＡＲ５で接続され、端子Ｇは通信装置ＢＡＲ１の正極端子ＵＡに直流給電ケーブルによって接続される。ヒューズ端子台ＦＵにヒューズを接続すると、電源装置ＥＵが導通するので、通信装置Ｕに電力が給電される。電流分配装置ＩＢＳは、警報用地気装置ＡＬを具備し、ヒューズ端子台ＦＵに接続されるヒューズが溶断した場合、ヒューズ断表示用ＬＥＤ（不図示）が点灯し、ヒューズを交換するとＬＥＤは消灯して通信装置Ｕに電源装置ＥＵの電力が給電される。
【０００３】
ここで、ヒューズをヒューズ端子台ＦＵに接続する場合、接点の締付けが不十分であると、接触抵抗により接点で発熱を起こし、場合によっては発火する恐れがある。また、端子Ｄまで常に電位が生じているため、接点を締付ける際に周囲の金属部分と接触して短絡する恐れもある。締付け箇所がない差込み式のヒューズを用いた場合、大電流に対しては差込み箇所の接触が不十分であるため、接触抵抗が増大し、場合によっては発火する恐れがあるという問題点があった。
【特許文献１】特開平０８−２８９４７６号公開  （電流分配装置）
【特許文献２】特開平０８−０７２６３３号公開  （自動車の電流分配装置）
【発明の開示】
【発明が解決しようとする課題】
【０００４】
従来の電流分配装置では、差込み式のヒューズが用いられることが多く、通信装置に大電流が流れる場合には、ヒューズとヒューズ端子台の接触が不十分であるため、接触抵抗により接点で発熱を起こし、場合によっては発火する恐れがある。締付け式のヒューズを用いた場合には、接触抵抗が低減できるが、締付け箇所に常に電位が生じるため、ヒューズを締付ける際に周囲の金属部分と接触して短絡する可能性もある。以上の問題を解決するために本発明は、ヒューズの接続箇所を無電圧にして安全にヒューズを締付けることができ、接点の接触抵抗を低減できる構成にすることを目的とする。
【課題を解決するための手段】
【０００５】
上記目的を達成するため本発明は、電流分配装置を電源装置から離し、ヒューズを着脱する場合に発生の可能性がある短絡事故を回避するとともに、通信装置に大電流が流れる場合でも問題ない程度に接点の接触抵抗を低減することを目的としている。
【０００６】
すなわち、電源装置から複数の通信装置へ電力を供給するための電流分配装置であって、前記電流分配装置は複数の導体バーと、ヒューズ端子台と有し、ヒューズの交換時に前記ヒューズ端子台と前記電源装置との間に電位を生じさせない導体バー切断機構を有し、
導体バー切断機構が、前記電源装置に接続された第１の導体バーと、前記ヒューズ端子台に接続された第２の導体バーを有し、
それぞれの導体バーは固定盤によって固定され、
絶縁された万力棒に取付けられた第３の導体バーを有し、前記万力棒を回転させることにより、前記第１及び第２の導体バーに前記第３の導体バーを締め付けることにより電気的に接続、一方、前記万力棒を逆方向に回転させることにより、前記第１及び第２の導体バーから前記第３の導体バーを浮き上がらせることにより電気的に切断されることを特徴とする。
【０００９】
さらに、本発明の電流分配装置において、前記ヒューズ端子台と前記通信装置の負極端子との間にシャント抵抗が接続され、警報用地気装置を備えることが好ましい。
【発明を実施するための最良の形態】
【００１０】
以下、図面を用いて詳細に説明する。
【実施例１】
【００１１】
図１は本発明の第１実施例である電流分配装置の内部構成と電流分配装置を用いた直流給電系の接続構成を示している。
【００１２】
電源装置ＥＵの負極を直流給電ケーブルによって端子Ａに接続し、端子Ａと端子Ｂは導体バーＢＡＲ１で接続する。導体バーＢＡＲ１と導体バーＢＡＲ３を絶縁された固定盤１８０に離隔して水平に固定し、絶縁された万力棒の先端に導体バーＢＡＲ２を取付ける。導体バーＢＡＲ２と導体バーＢＡＲ１、導体バーＢＡＲ３はそれぞれ離隔されている。端子Ｃと端子Ｄは導体バーＢＡＲ３で接続され、端子Ｄはヒューズ端子台の一端である。ヒューズ端子台の他端は端子Ｅに接続され、端子Ｅと端子Ｆはシャント抵抗ＳＴを介して導体バーＢＡＲ４で接続される。端子Ｆは通信装置Ｕの負極端子ＵＢに直流給電ケーブルで接続される。電源装置ＥＵの正極には直流給電ケーブルにより端子Ｈが接続され、端子Ｈと端子Ｇは導体バーＢＡＲ５で接続される。端子Ｇは通信装置Ｕの正極端子ＵＡに直流給電ケーブルで接続される。端子Ｆと端子Ｇ間に給電表示用ＬＥＤが抵抗Ｒを介して接続される。また電流分配装置は、警報用地気装置ＡＬを具備し、端子Ａと端子Ｈ間の電圧、シャント抵抗ＳＴの両端電圧、端子Ｆと端子Ｇの電圧を測定し、警報用地気装置ＡＬで演算して表示パネルＰで電流分配装置ＩＢＳの出力電流及び出力電圧を表示する。
【００１３】
電源装置ＥＵは電流分配装置ＩＢＳを介して通信装置Ｕと接続されている。導体バーＢＡＲ１及びＢＡＲ３は固定盤ＢＤによって固定され、導体バーＢＡＲ２は万力棒ＭＢに固定されている。万力棒ＭＢを離す方向に回転させると導体バーＢＡＲ２は導体バーＢＡＲ１及びＢＡＲ３から引き離される。この状態では電源装置ＥＵからの電力が供給される端子Ａと端子Ｄが完全に切断されるため、いかなる電流も流れることはない。ここで、ヒューズ端子台ＦＵにヒューズを接続し、万力棒ＭＢを締める方向に回転させ、導体バーＢＡＲ２をＢＡＲ１とＢＡＲ３と密接させると、端子Ａから端子Ｄが導通し、給電表示用ＬＥＤが点灯する。通信装置Ｕの正極端子ＵＡと負極端子ＵＢ間に電位が生じ、通信装置Ｕに電源装置ＥＵの電力が給電できる。端子Ｂ及び端子Ｃは万力棒ＭＢで十分に締付けることにより、導体バーＢＡＲ１、ＢＡＲ２、ＢＡＲ３は互いに密着され、大電流が流れる場合であっても接触抵抗を低減できる。従って、接点付近で発熱及び発火の恐れはなくなる。
【００１４】
何らかの原因でヒューズが溶断するとＬＥＤが消灯し、ヒューズの交換が必要となる。この場合、工具を用いて万力棒ＭＢを導体バーＢＡＲ２が導体バーＢＡＲ１及びＢＡＲ３から離される向きに回転させる。このとき、導体バーＢＡＲ２は給電系から離され、ヒューズ端子台ＦＵの両端が無電圧となり、いかなる電流も流れることはない。ヒューズ端子台ＦＵが無電圧であることを確認した後、安全にヒューズを交換することができる。ヒューズを交換した後、再び工具を用いて万力棒を回転させ、導体バーＢＡＲ１、ＢＡＲ２、ＢＡＲ３を密接させるとＬＥＤが点灯し、通信装置Ｕに安全に電源装置ＥＵの電力が給電される。また、警報用地気装置ＡＬとして、警報用ヒューズ回路をヒューズ端子台ＦＵに並列に使用できることは言うまでもない。
【産業上の利用可能性】
【００１８】
以上述べたように、本発明による電流分配装置は、電流分配装置内部のヒューズを接続する場合に、電源装置から電流分配装置を離すことによりヒューズ端子台と周囲の金属部分の接触による短絡事故を無くし、通信装置に大電流が流れる場合にも接触抵抗を低減できるという効果がある。
【図面の簡単な説明】
【００１９】
【図１】本発明の実施例１に係る電流分配装置の内部構成とそれを用いた直流給電系を示す図である。
【図２】本発明の実施例１に係る電流分配装置の外観と内部構成を示す図である。
【図３】本発明の実施例２に係る電流分配装置の構成とそれを用いた直流給電系を示す図である。
【図４】本発明の実施例２に係る電流分配装置の外観と内部構成を示す図である。
【図５】従来の電流分配装置の構成とそれを用いた直流給電系を示す図である。
【符号の説明】
【００２０】
ＩＢＳ  電流分配装置
ＢＡＲ１、ＢＡＲ２、ＢＡＲ３、ＢＡＲ４、ＢＡＲ５  導体バー
ＥＵ  電源装置
Ｕ  通信装置
ＵＡ  通信装置の正極端子
ＵＢ  通信装置の負極端子
ＦＵ  ヒューズ端子台
ＭＢ  万力棒
ＢＫ  断路器
ＬＥＤ  ＬＥＤ素子
ＡＬ  警報用地気装置
ＢＤ  固定盤
ＳＴ  シャント抵抗
Ｐ  パネル
Ａ、Ｂ、Ｃ、Ｄ、Ｅ、Ｆ、Ｇ、Ｈ  端子
【図１】
0004587311.tif 000002
【図２】
0004587311.tif 000003
【図３】
0004587311.tif 000004
【図４】
0004587311.tif 000005
【図５】
0004587311.tif 000006